(57)【要約】      （修正有）【課題】リボン片の一面のみが表に現れる装飾用の蝶結びを提供する。【解決手段】蝶結びは、リボン片３０の一端部２６からなる第１の垂れ１６と、第１の垂れから環状に伸びる環状の帯１４と、環状の帯からループ状に伸びる第１のループ２０と、第１のループから環状の帯が規定する環状空間の外側から内側へ伸び、さらに外側へ伸び出る結び目２４と、結び目からループ状に伸び結び目に通された第２のループ２２と、第２のループから伸びる第２の垂れであってリボン片の両面がそれぞれ反転するように捻り４０を加えられたリボン片の他端部２８からなる第２の垂れ１８とを備える。【選択図】図３
0003232988.tif 000002
【実用新案登録請求の範囲】
【請求項１】
一端部及び他端部を有するリボン片で形成された装飾用の蝶結びであって、
前記リボン片の一端部からなる第１の垂れと、該第１の垂れから環状に伸びる環状の帯と、該環状の帯からループ状に伸びる第１のループと、該第１のループから前記環状の帯が規定する環状空間の外側から内側へ伸び、さらに外側へ伸び出る結び目と、該結び目からループ状に伸び前記結び目に通された第２のループと、該第２のループから伸びる第２の垂れとを備え、
前記第２のループ及び前記第２の垂れは、前記リボン片の両面がそれぞれ反転するように捻りを加えられた前記リボン片の一部及び該一部に連なる他端部からなる、装飾用の蝶結び。
【請求項２】
前記第１のループを規定する前記リボン片の互いに相対する２つの一部がこれらの一部の間に配置された両面テープ片により互いに接着されている、請求項１に記載の装飾用の蝶結び。
【考案の詳細な説明】
【技術分野】
【０００１】
本考案は、商品やその包装からなる物品の装飾に用いられる蝶結びに関する。
【背景技術】
【０００２】
従来、リボン片で形成された装飾用の蝶結びが提案されている。この蝶結びは、蝶結び本体と、本体から環状に伸びる帯部とからなる。蝶結び本体は、２つのループと、２つの垂れと、両ループと両垂れとを取り巻く結び目とを有し、帯部は両垂れの一方と両ループの一方とに連なっている。この蝶結びによれば、一方の垂れを引き、これを結び目に対して相対移動させることができ、これにより前記環状の帯部の大きさ又は直径を次第に小さくすることができる。このことから、装飾対象である物品の周りにこれを取り巻くように帯部を掛け、前記一方の垂れを引いて前記物品を締め付けることにより、前記蝶結びを前記物品に取り付け、その装飾に供することができる。
【０００３】
ところで、前記従来の蝶結びにあっては、これを形成するためのリボン片が例えば模様が付された一面と模様が付されていない他面とを有するものであるとき、前記蝶結び本体の表に、すなわち人目に触れるところに、前記リボン片の一面と他面とが現われる。このようなリボン片からなる蝶結びにあっては、物品の装飾上、リボン片の一面のみが表に現れているものであることが望ましい。
【先行技術文献】
【特許文献】
【０００４】
【特許文献１】実用新案登録第３１９４９３８号公報
【考案の概要】
【考案が解決しようとする課題】
【０００５】
本考案は、前記従来の事情に鑑み、リボン片の一面のみが表に現れる装飾用の蝶結びを提供する。
【課題を解決するための手段】
【０００６】
本考案は、一端部及び他端部を有するリボン片で形成された装飾用の蝶結びに係る。前記蝶結びは、 前記リボン片の一端部からなる第１の垂れと、該第１の垂れから環状に伸びる環状の帯と、該環状の帯からループ状に伸びる第１のループと、該第１のループから前記環状の帯が規定する環状空間の外側から内側へ伸び、さらに外側へ伸び出る結び目と、該結び目からループ状に伸び前記結び目に通された第２のループと、該第２のループから伸びる第２の垂れとを備える。ここに、前記第２のループ及び前記第２の垂れは、前記リボン片の両面がそれぞれ反転するように捻りを加えられた前記リボン片の一部及び該一部に連なる他端部からなる。
【０００７】
本考案によれば、順次に連なる前記第１の垂れ、前記環状の帯、前記第１のループ及び前記結び目において前記リボン片の一面が表に現れ、また、前記リボン片の両面がそれぞれ反転するように捻りを加えられた前記リボン片の一部及び該一部に連なる他端部からなる前記第２のループ及び第２の垂れにおいて前記リボン片の一面が表に現れる蝶結びを提供することができる。
【０００８】
前記蝶結びは、前記第１のループを規定する前記リボン片の互いに相対する２つの一部がこれらの一部の間に配置された両面テープ片により互いに接着されているものとすることができる。これによれば、蝶結びの一部を不用意に引くことによって生じる前記蝶結びの形態の崩壊を防止することができる。
【０００９】
前記蝶結びにあっては、その第１の垂れを引き寄せると、該第１の垂れに連なる前記環状の帯の一部が前記結び目を通して引き出され、前記環状部の大きさが漸減する。このことから、装飾対象である物品の周りに前記環状の帯を掛け、前記第１の垂れを引くことにより、前記環状の帯で前記物品を緊縛し、前記蝶結びを前記物品に取り付けることができる。
【図面の簡単な説明】
【００１０】
【図１】蝶結びの斜視図である。
【図２】蝶結びの作成過程の最初におけるリボン片の斜視図である。
【図３】蝶結びの作成過程の途中におけるリボン片の斜視図である。
【図４】蝶結びの作成過程の最後におけるリボン片の斜視図である。
【図５】物品とその装飾のためにこれに取り付けられた蝶結びとを概略的に示す斜視図である。
【考案を実施するための形態】
【００１１】
図１を参照すると、本考案に係る装飾用の蝶結びが全体に符号１０で示されている。
【００１２】
蝶結び１０は、主たる装飾機能を発揮する本体１２と、本体１２を装飾対象である、任意の商品又はその包装からなる物品Ｃ（図５）に取り付ける環状の帯１４とからなる。蝶結び１０の本体１２は、第１及び第２の２つの垂れ１６、１８と、第１及び第２のループ２０、２２と、結び目２４とからなる。
【００１３】
蝶結び１０は、一端部２６及び他端部２８を有する単一のリボン片３０（図２〜図４参照）で形成されている。リボン片３０は、合成繊維製、化学繊維製、天然繊維製等の織物又は不織布、あるいは合成樹脂製のテープからなる。リボン片３０は互いに相対する一面（〇印で示す。）及び他面（△印で示す。）を有する。例えば、リボン片３０は、模様が施された前記一面と、無模様の前記他面とを有する。
【００１４】
次に、リボン片３０を用いて行う蝶結び１０の作成過程を順を追って示す図２〜図４を参照して、蝶結び１０の詳細について説明する。
【００１５】
蝶結び１０の本体１２の第１の垂れ１６はリボン片３０の一端部２６からなる（図４参照）。環状の帯１４は、リボン片３０の一端部２６に連なるリボン片３０の一部３２からなり、第１の垂れ１６から環状に伸びている（図２、３参照）。第１のループ２０は、リボン片３０の一部３２に連なるリボン片３０の他の一部３４を折り返してなり、環状の帯１４からループ状に伸びている（図２、３参照）。結び目２４はリボン片３０の他の一部３４に連なるさらに他の一部３６であって第１のループ２０から、環状の帯１４が規定する環状空間Ｓの外側から内側に伸び（回り込み）、さらに外側へ伸び出る一部３６からなる（図２に一点鎖線で示す矢印Ａ参照）。第２のループ２２は、リボン片３０の一部３６に連なる他の一部３８を折り返してなり、結び目２４からループ状に伸び、結び目２４に通されている（図３に一点鎖線で示す矢印Ｂ及び図４参照）。また、第２の垂れ１８は、リボン片３０の一部３８に連なる他端部２８からなり、第２のループ２２から伸びている（図２、３参照）。
【００１６】
蝶結び１０の前記作成過程において順次に形成される第１の垂れ１６、環状の帯１４、第１のループ２０及び結び目２４には、これらの表に、すなわち人の目に触れるところに、リボン片３０の一面（〇印）が現われる。
【００１７】
他方、結び目２４から伸びる第２のループ２２及び該第２のループから伸びる第２の垂れ１８は、蝶結び１０の前記作成過程において、リボン片３０の他面（△印）を表に現す。このため、結び目２４の形成後、リボン片３０の一部３８において、リボン片３０の両面（〇印及び△印）がそれぞれ反転するように捻り４０が加えられる。これにより、リボン片３０の一部３８及び該一部に連なる他端部２８にリボン片３０の一面（〇印）が表に現われる。その結果、リボン片３０の一面（〇印）が表に現れた第２のループ２２及び第２の垂れ１８が形成される。
【００１８】
また、好ましくは、第１のループ２０を規定するリボン片３０の互いに相対する２つの一部、より詳細にはリボン片３０の一部３４における互いに相対する２つの部分３４ａ、３４ｂが、これらの部分３４ａ、３４ｂ間に配置された両面テープ片４２（図３）により互いに接着されているものとすることができる。これによれば、蝶結び１０の一部を不用意に引くことによって生じる蝶結び１０の形態の崩壊を防止することができる。
【００１９】
蝶結び１０においては、第１の垂れ１６を引張ると、該第１の垂れに連なる環状の帯１４の一部が結び目２４を経て移動し、環状の帯１４の直径又は大きさが次第に小さくなる。したがって、蝶結び１０の環状の帯１４を蝶結び１０の装飾対象である物品Ｃ（図５）の周りに掛け回し、第１の垂れ１６を引くと、環状の帯１４が窄んで物品Ｃの表面に接し、これを緊縛する。これにより、物品Ｃへの蝶結び１０の取り付けを行うことができる。このとき、物品Ｃを取り巻く環状の帯１４の弛緩を防止するため、第１の垂れ１６の一部を例えば透明な円形シール４４（図５）をもって物品Ｃの表面に固定することができる。また、環状の帯１４の一部が結び目２４を通過することに伴って実質的に長くなった第１の垂れ１６の一部を切断して、その長さ寸法を第２の垂れ１８の長さ寸法に合わせることができる。なお、商品が液体からなる液体商品については、蝶結び１０は、その環状の帯１４において、前記液体商品の包装であるボトル（図示せず）の首に掛けられる。
【符号の説明】
【００２０】
１０  装飾用の蝶結び
１２  本体
１４  環状の帯
１６  第１の垂れ
１８  第２の垂れ
２０  第１のループ
２２  第２のループ
２４  結び目
２６  リボン片の一端部
２８  リボン片の他端部
３０  リボン片
４０  捻り
４２  両面テープ片
４４  透明な円形シール
【図１】
0003232988.tif 000003
【図２】
0003232988.tif 000004
【図３】
0003232988.tif 000005
【図４】
0003232988.tif 000006
【図５】
0003232988.tif 000007